(57)【要約】      （修正有）【課題】曝気攪拌装置のスクリューが最適な曝気性能を発揮する浸漬深さに設置されていることを目視によって確認することができるようにした曝気攪拌装置を提供する。【解決手段】回転駆動機構３と、回転駆動機構３によって回転駆動される中空軸２と、回転駆動機構３及び中空軸２を覆うカバー部材４と、カバー部材４から突出した中空軸２の先端側２Ａに設けたスクリュー２０とからなり、スクリュー２０の回転により攪拌水流を発生させるとともに、攪拌水流に伴う負圧により中空軸２の基端側に設けた空気吸入部から吸い込んだ空気を水中へ放出するようにし、カバー部材４に、曝気攪拌装置のスクリュー２０の浸漬深さを目視によって確認できるようにするための帯状の境界標示１０を形成する。【選択図】図１
0003167246.tif 000002
【実用新案登録請求の範囲】
【請求項１】
回転駆動機構と、該回転駆動機構によって回転駆動される中空軸と、回転駆動機構及び中空軸を覆うカバー部材と、該カバー部材から突出した中空軸の先端側に設けたスクリューとからなり、該スクリューの回転により攪拌水流を発生させるとともに、該攪拌水流に伴う負圧により中空軸の基端側に設けた空気吸入部から吸い込んだ空気を水中へ放出するようにした曝気攪拌装置において、前記カバー部材に、曝気攪拌装置のスクリューの浸漬深さを目視によって確認できるようにするための帯状の境界標示を形成したことを特徴とする曝気攪拌装置。
【請求項２】
前記境界標示を、推奨運転範囲、運転可能範囲及び運転不可能範囲に区分けしたことを特徴とする請求項１記載の曝気攪拌装置。
【請求項３】
曝気攪拌装置の浸漬深さ並びに水平面内及び鉛直面内での揺動角度を、曝気攪拌装置を固定するねじ部材及び該ねじ部材の位置を調節することによって調整する構造としたことを特徴とする請求項１又は２記載の曝気攪拌装置。
【請求項４】
曝気攪拌装置を垂設支持部材及び傾斜支持部材を介して固定側部材に固定するようにしたことを特徴とする請求項３記載の曝気攪拌装置。
【請求項５】
曝気攪拌装置の基準位置に対する水平面内での揺動角度を目視によって確認できるようにするための角度標示部材を配設したことを特徴とする請求項１、２、３又は４記載の曝気攪拌装置。
【考案の詳細な説明】
【技術分野】
【０００１】
本考案は、曝気攪拌装置に関し、特に、曝気攪拌装置が最適な曝気性能を発揮する浸漬深さに設置されていることを目視によって確認することができるようにした曝気攪拌装置に関するものである。
【背景技術】
【０００２】
従来、汚水処理場における曝気槽には、汚水を攪拌するとともに、汚水中に空気を放出して曝気する曝気攪拌装置が設置されている。
この曝気攪拌装置は、図４に示すように、回転駆動機構３と、回転駆動機構３によって回転駆動される中空軸２と、中空軸２を覆うカバー部材４と、カバー部材４から突出した中空軸２の先端側２Ａに設けたスクリュー２０とからなり、スクリュー２０の回転により攪拌水流を発生させるとともに、攪拌水流に伴う負圧により中空軸２の基端側２Ｂに設けた空気吸入部５から吸い込んだ空気を水中へ放出するようにしている（例えば、特許文献１参照）。
【０００３】
ところで、この曝気攪拌装置１’は、曝気攪拌装置１’の浸漬深さ、すなわち、スクリュー２０の浸漬深さが、曝気性能に影響を及ぼすこととなるため、スクリュー２０の浸漬深さが、極力変動しないように使用されている。
そして、例えば、曝気攪拌装置１’を設置する際には、スクリュー２０の浸漬深さを確認しながら設置する必要があり、作業に手数を要するという問題があった。
また、曝気攪拌装置１’の運転中に曝気槽の水位が大幅に変動した場合に、曝気攪拌装置１’のスクリュー２０の浸漬深さを、目視によって確認することができなかった。
【０００４】
また、曝気攪拌装置１’では、曝気攪拌装置１’のスクリュー２０の浸漬深さを調整する場合、曝気攪拌装置１’を取り付ける固定側部材、例えば、曝気槽に架設した梁部材との間に調節部材（いずれも図示省略）を設けるようにしているが、構造が複雑になるとともに、調整に手数を要していた。
【先行技術文献】
【特許文献】
【０００５】
【特許文献１】特開平９−２９９９８１号公報
【考案の概要】
【考案が解決しようとする課題】
【０００６】
本考案は、上記従来の曝気攪拌装置の有する問題点に鑑み、曝気攪拌装置のスクリューが最適な曝気性能を発揮する浸漬深さに設置されていることを目視によって確認することができるようにした曝気攪拌装置を提供することを第１の目的とする。
【０００７】
また、本考案は、曝気攪拌装置のスクリューの浸漬深さ等の調整を容易に行うことができるようにした曝気攪拌装置を提供することを第２の目的とする。
【課題を解決するための手段】
【０００８】
上記第１の目的を達成するため、本考案の曝気攪拌装置は、回転駆動機構と、該回転駆動機構によって回転駆動される中空軸と、回転駆動機構及び中空軸を覆うカバー部材と、該カバー部材から突出した中空軸の先端側に設けたスクリューとからなり、該スクリューの回転により攪拌水流を発生させるとともに、該攪拌水流に伴う負圧により中空軸の基端側に設けた空気吸入部から吸い込んだ空気を水中へ放出するようにした曝気攪拌装置において、前記カバー部材に、曝気攪拌装置のスクリューの浸漬深さを目視によって確認できるようにするための帯状の境界標示を形成したことを特徴とする。
【０００９】
この場合において、前記境界標示を、推奨運転範囲、運転可能範囲及び運転不可能範囲に区分けすることができる。
【００１０】
さらに、上記第２の目的を達成するため、本考案の曝気攪拌装置は、曝気攪拌装置のスクリューの浸漬深さ並びに曝気攪拌装置の水平面内及び鉛直面内での揺動角度を、曝気攪拌装置を固定するねじ部材及び該ねじ部材の位置を調節することによって調整する構造とすることができる。
【００１１】
また、曝気攪拌装置を垂設支持部材及び傾斜支持部材を介して固定側部材に固定するようにすることができる。
【００１２】
また、曝気攪拌装置の基準位置に対する水平面内での揺動角度を目視によって確認できるようにするための角度標示部材を配設することができる。
【考案の効果】
【００１３】
本考案の曝気攪拌装置によれば、カバー部材に、曝気攪拌装置のスクリューの浸漬深さを目視によって確認できるようにするための帯状の境界標示を形成することにより、曝気攪拌装置が最適な曝気性能を発揮する浸漬深さに設置されていることを目視によって確認することができることから、曝気攪拌装置の設置作業を簡易に行うことができるとともに、曝気攪拌装置の運転中に曝気槽の水位が大幅に変動した場合でも、曝気攪拌装置のスクリューの浸漬深さを容易に確認することができ、曝気攪拌装置の運転を安定して行うことができるとともに、曝気攪拌装置の保護を配慮した運転を行うことができる。
【００１４】
また、境界標示を、推奨運転範囲、運転可能範囲及び運転不可能範囲に区分けすることにより、曝気攪拌装置の運転適正範囲（推奨運転範囲及び運転可能範囲）が明確になり、して、曝気攪拌装置の運転を一層安定して行うことができる。
【００１５】
また、曝気攪拌装置のスクリューの浸漬深さ並びに曝気攪拌装置の水平面内及び鉛直面内での揺動角度を、曝気攪拌装置を固定するねじ部材及び該ねじ部材の位置を調節することによって調整する構造とすることにより、曝気攪拌装置のスクリューの浸漬深さ並びに曝気攪拌装置の水平面内及び鉛直面内での揺動角度の調整を容易に行うことができる。
【００１６】
また、曝気攪拌装置を垂設支持部材及び傾斜支持部材を介して固定側部材に固定するようにすることにより、曝気攪拌装置の荷重を専ら垂設支持部材によって、曝気攪拌装置の運転時と停止時の重心の偏倚による支持点廻りのモーメントを専ら傾斜支持部材によって支持することで、曝気攪拌装置を安定して支持することができるとともに、曝気攪拌装置の固定側部材に対する取付構造を簡易に構成することができる。
【００１７】
また、曝気攪拌装置の基準位置に対する水平面内での揺動角度を目視によって確認できるようにするための角度標示部材を配設することにより、曝気攪拌装置の設置作業を簡易に行うことができる。
【図面の簡単な説明】
【００１８】
【図１】本考案の曝気攪拌装置の一実施例を示し、（ａ）は正面図、（ｂ）は平面図である。
【図２】同曝気攪拌装置の垂設支持部材を示し、（ａ）は正面図、（ｂ）は平面図、（ｃ）は側面図である。
【図３】同曝気攪拌装置の角度標示部材の説明図である。
【図４】従来の曝気攪拌装置の正面断面図である。
【考案を実施するための形態】
【００１９】
以下、本考案の曝気攪拌装置の実施の形態を、図面に基づいて説明する。
【００２０】
図１〜図２に、本考案の曝気攪拌装置の一実施例を示す。
この曝気攪拌装置１は、回転駆動機構３と、回転駆動機構３によって回転駆動される中空軸２と、回転駆動機構３及び中空軸２を覆うカバー部材４と、カバー部材４から突出した中空軸２の先端側２Ａに設けたスクリュー２０とからなり、スクリュー２０の回転により攪拌水流を発生させるとともに、攪拌水流に伴う負圧により中空軸２の基端側２Ｂに設けた空気吸入部５から吸い込んだ空気を水中へ放出するようにし、カバー部材４に、曝気攪拌装置１のスクリュー２０の浸漬深さを目視によって確認できるようにするための帯状の境界標示１０を形成するようにしている。
【００２１】
境界標示１０は、曝気攪拌装置１のスクリュー２０の浸漬深さを目視によって確認できるようにするものであれば、特に限定されるものではないが、本実施例においては、図１に示すように、推奨運転範囲１１と、推奨運転範囲１１を挟んだ運転可能範囲１２と、それ以外の範囲を運転不可能範囲１３とした３つの範囲に区分けするようにしている。
また、境界標示１０は、境界線によって区分けするだけとすることもできるが、本実施例においては、色分けするようにしている。
【００２２】
そして、この曝気攪拌装置１を設置する場合、曝気槽の標準水位（図１（ａ）のＭＷＬ）が、推奨運転範囲１１に入るように設置する。
これにより、曝気槽の水位が通常想定される範囲（図１（ａ）のＨＷＬとＬＷＬとの範囲）で変動しても、運転可能範囲１２から外れることはなく、曝気攪拌装置１の運転を安定して行うことができる。
そして、このように、曝気攪拌装置１が最適な曝気性能を発揮する浸漬深さに設置されていることを目視によって確認することができることから、曝気攪拌装置１の設置作業を簡易に行うことができるとともに、曝気攪拌装置１の運転中に、例えば、設備機器の故障等によって、曝気槽の水位が大幅に変動した場合に、曝気攪拌装置１の浸漬深さを目視によって容易に確認することができ、曝気攪拌装置１の運転の停止等の処置を早期に行うことができ、曝気攪拌装置１の運転を安定して行うことができる。
【００２３】
また、曝気攪拌装置１は、水中に浸漬する際に、水面に対して所定の浸漬角度（３０〜４０°、より好ましくは３５°程度）をもって浸漬するようにしているが、この境界標示１０を、カバー部材４の表面に、中空軸２の軸心に対して曝気攪拌装置１の水面に対する浸漬角度と同じ角度をもって帯状に形成することによって、曝気攪拌装置１の水面に対する浸漬角度も容易に調整することができる。
【００２４】
ところで、本実施例においては、曝気攪拌装置１を、垂設支持部材１４及び傾斜支持部材１６を介して、固定側部材（本実施例においては、曝気槽に架設した梁部材１８）に固定するようにしている。
この場合、型鋼で構成した垂設支持部材１４の下端部を、曝気攪拌装置１のカバー部材４に、垂設支持部材１４に形成した本体取付穴１５に配したねじ部材１５ａを介して固定するとともに、垂設支持部材１４の上端に架設した水平片１４ａを、梁部材１８に、ねじ部材１９ａを介して固定するようにする。
また、金属製の板片で構成した傾斜支持部材１６の下端部を、曝気攪拌装置１のカバー部材４のリブ部４ａに、ねじ部材１９ｂを介して固定するとともに、傾斜支持部材１６の上端部を、垂設支持部材１４の水平片１４ａに突設したブラケット１４ｂに、このブラケット１４ｂに形成した傾斜支持部材取付穴１７に配したねじ部材１７ａを介して固定するようにする。
これにより、曝気攪拌装置１の荷重を専ら垂設支持部材１４によって、曝気攪拌装置１の運転時と停止時の重心の偏倚による支持点廻りのモーメント（スクリュー２０の回転により発生する推力により生じる垂設支持部材１４の支持点廻りのモーメント）を専ら傾斜支持部材１６によって支持することかでき、曝気攪拌装置１を安定して支持することができるとともに、曝気攪拌装置１の固定側部材である梁部材１８に対する取付構造を簡易に構成することができる。
【００２５】
そして、曝気攪拌装置１のスクリュー２０の浸漬深さ並びに曝気攪拌装置１の水平面内及び鉛直面内での揺動角度を、曝気攪拌装置１を固定するねじ部材及びこのねじ部材の位置を調節することによって調整するようにする。
具体的には、曝気攪拌装置１のスクリュー２０の浸漬深さは、垂設支持部材１４に形成した本体取付穴１５に代えて、その上下に形成した予備用の本体取付穴１５’、１５”（個数は２個に限定されない。）にねじ部材１５ａを配し、このねじ部材１５ａを曝気攪拌装置１のカバー部材４に固定することにより調整することができる。
また、曝気攪拌装置１の水平面内での揺動角度は、垂設支持部材１４の上端に架設した水平片１４ａと梁部材１８のなす角度が好ましい角度となるようにして、ねじ部材１９ａを介して固定することにより調整することができる。
また、曝気攪拌装置１の鉛直面内での揺動角度は、垂設支持部材１４の水平片１４ａに突設したブラケット１４ｂに形成した傾斜支持部材取付穴１７に代えて、その上下に形成した予備用の傾斜支持部材取付穴１７’、１７”（個数は２個に限定されない。）にねじ部材１７ａを配し、このねじ部材１７ａを介して傾斜支持部材１６の上端部を固定することにより調整することができる。
これにより、曝気攪拌装置１のスクリュー２０の浸漬深さ並びに曝気攪拌装置１の水平面内及び鉛直面内での揺動角度の調整を容易に行うことができる。
【００２６】
また、曝気攪拌装置１は、図３に示すように、曝気攪拌装置１の基準位置に対する水平面内での揺動角度を目視によって確認できるようにするための角度標示部材７を配設することができる。
角度標示部材７は、曝気攪拌装置１を固定する固定側部材（本実施例においては、曝気槽に架設した梁部材１８）に配設した角度標示板７ａと、曝気攪拌装置１の揺動に伴って移動することにより角度標示板７ａに角度を標示する移動片７ｂとで構成するようにしている。
これにより、曝気攪拌装置１が最適な曝気性能を発揮する水平面内での所要角度に設置されていることを目視によって確認でき、曝気攪拌装置１の設置作業を簡易に行うことができる。
【００２７】
なお、本実施例において、空気吸入部は、図４に記載した従来の曝気攪拌装置と同様、中空軸２の基端側に配設され、スクリュー２０の回転によって生じる攪拌水流に伴う負圧により空気を吸入するものであれば、特に限定されるものではない。
【００２８】
また、カバー部材４の先端には、スクリュー２０の上方に延設するように渦流防止板６を取り付けるようにする。
これにより、スクリュー２０の上方の水面に渦流（攪拌水流に伴う負圧により、水面から空気を引き込む現象）が発生するのを防止し、攪拌水流に乱れが生じないようにしている。
【００２９】
以上、本考案の曝気攪拌装置について、その実施例に基づいて説明したが、本考案は上記実施例に記載した構成に限定されるものではなく、その趣旨を逸脱しない範囲において適宜その構成を変更することができるものである。
【産業上の利用可能性】
【００３０】
本考案の曝気攪拌装置は、曝気攪拌装置が最適な曝気性能を発揮する浸漬深さに設置されていることを目視によって確認することができるとともに、曝気攪拌装置のスクリューの浸漬深さ等の調整を容易に行うことができ、これにより、曝気攪拌装置の点検、整備を簡易に行うことができるという特性を有していることから、各種用途の曝気攪拌装置に好適に用いることができる。
【符号の説明】
【００３１】
１    曝気攪拌装置
２    中空軸
２Ａ  先端側
２Ｂ  基端側
２０  スクリュー
３    回転駆動機構
４    カバー部材
５    空気吸入部
６    渦流防止板
７    角度標示部材
１０  境界標示
１１  推奨運転範囲
１２  運転可能範囲
１３  運転不可能範囲
１４  垂設支持部材
１５  本体取付穴
１５’  予備用の本体取付穴
１５”  予備用の本体取付穴
１５ａ  ねじ部材
１６  傾斜支持部材
１７  傾斜支持部材取付穴
１７’  予備用の傾斜支持部材取付穴
１７”  予備用の傾斜支持部材取付穴
１７ａ  ねじ部材
１８  梁部材（固定側部材）
１９ａ  ねじ部材
１９ｂ  ねじ部材
【図１】
0003167246.tif 000003
【図２】
0003167246.tif 000004
【図３】
0003167246.tif 000005
【図４】
0003167246.tif 000006